(57)【要約】【課題】設置した養生シートの取り外し作業、取り付け作業が面倒であり非常に長い時間が掛かるため、必要のない場所でも全体の作業中は養生シートが開放されにくい課題があった。【解決手段】レール長手方向にわたって設けられるスライド用長溝１０を有するスライド用レール１と、スライド用レール１のスライド用長溝１０に移動可能に係合するランナー２と、ランナー２に上下両端辺を結合し折り畳み可能なスライド養生シート３とを有し、スライド養生シート３を、その上下辺部分に設けたランナー連結部３１によって連結されるランナー２を介して上下のスライド用レール１に取り付けて構成されるスライド養生シート層を、上下多重層に設け、各層のスライド養生シート毎に開閉可能であるスライド開閉式養生シートによる。【選択図】図１
2010090617.tif 000002
【特許請求の範囲】
【請求項１】
レール長手方向にわたって設けられるスライド用長溝を有するスライド用レールと、スライド用レールのスライド用長溝に移動可能に係合するランナーと、ランナーに上下両端辺部分を連結するとともにシート折り畳み開放可能なスライド養生シートとを有し、スライド養生シートをその上下辺部分に設けたランナー連結部によって連結されるランナーを介して上下のスライド用レールに取り付けて構成されるスライド養生シート層を、上下多重層に設け、各層のスライド養生シート毎に開閉可能であることを特徴とするスライド開閉式養生シート。
【請求項２】
レールの上下それぞれの面に長手方向にわたって設けられるスライド用長溝を有し枠組足場、くさび式足場等の本足場の外側に水平方向に取り付けられるスライド用レールと、スライド用レールのスライド用長溝に移動可能に係合するランナーと、ランナーに上下両端辺部分を連結するとともにシート折り畳み開放可能なスライド養生シートとを有し、スライド養生シートをその上下辺部分に設けたランナー連結部によって連結されるランナーを介して上下のスライド用レールに取り付けて構成されるスライド養生シート層を本足場の外側に上下多重層に設け、各層のスライド養生シート毎に開閉可能であることを特徴とするスライド開閉式養生シート。
【請求項３】
スライド用レールが、横断面長方形状の直方柱体からなり、ランナーが係合し移動可能なスライド用長溝を長手方向の上下面にそれぞれ開口して形成したスライド用レールである請求項１又は請求項２に記載のスライド開閉式養生シート。
【請求項４】
スライド用レールが、横断面長方形状の直方柱体からなり、ランナーが係合し移動可能なスライド用長溝を長手方向の上下面にそれぞれ開口して形成するとともに、上下面に開口する２つのスライド用長溝の間に長手方向に中間空隙部を設け、
スライド用レールの中間空隙部の両側面には複数の孔を設け、スライド用レールの両端部の孔はスライド用レール同士を長手方向に連結する連結部材の連結孔と係合可能な連結孔であり、中間部分の孔はスライド用レールを枠組足場、くさび式足場等の本足場に固定する取付部材と係合可能な取付孔である請求項１又は請求項２又は請求項３に記載のスライド開閉式養生シート。
【請求項５】
スライド用レールが、横断面円形状の円柱体からなり、ランナーが係合し移動可能なスライド用長溝を長手方向の上下面にそれぞれ開口して形成したスライド用レールである請求項１又は請求項２に記載のスライド開閉式養生シート。
【請求項６】
スライド用レールが、横断面円形状の円柱体からなり、ランナーが係合し移動可能なスライド用長溝を長手方向の上下面にそれぞれ開口して形成するとともに、連結溝を長手方向の左右横面にそれぞれ開口して形成し、連結溝はスライド用レール同士を長手方向に連結する連結部材及び枠組足場、くさび式足場等の本足場に取り付ける取付部材と係合可能としたスライド用レールである請求項１又は請求項２又は請求項５に記載のスライド開閉式養生シート。
【発明の詳細な説明】
【技術分野】
【０００１】
この発明は、中高層の建造物、特にマンション、団地等の中高層の集合住宅の壁面のリニューアル工事等に使用されるスライド開閉式養生シートに関する。
【背景技術】
【０００２】
マンション、団地等の４階乃至１０階程度の中高層の集合住宅は、建築後１０年〜１０数年前後で壁面の補修工事を行うことが多い。このような壁面リニューアル工事では、壁面周囲に枠組み足場又はくさび式足場などの本足場（以下本足場とのみ記す）を組み、主に塗装作業に伴う塗装剤の吹き付け時の飛散防止のため、本足場の外側を養生シートで覆うことが必要とされている。
【０００３】
一般的な養生シートは、１シートが約１．８ｍ×約５．１ｍ程度の長方形のメッシュシートからなり、各１シート（スパン）毎にシートの周囲適宜位置に設けられている結束用ロープによって本足場の外側（反建造物側）の建地（ポール等）に結びつけて設けられていた。
【発明の開示】
【発明が解決しようとする課題】
【０００４】
従来の団地等のリニューアル工事の場合、塗装剤などが飛散しないように１棟毎の壁面周囲を全て養生シートによって覆うことが必要とされていた。そして養生シートは、本足場の外側の建地（ポール等）に紐、ロープによって固定されて取り付けられるため容易かつ短時間に開閉ができなかった。そのため、塗装作業等の作業が行われている数ヶ月の期間、養生シートが外されないため部屋の窓から日差しが入らないなど日常生活に非常な不便が強いられていた。
【０００５】
実際には、団地一戸の付近のリニューアル工事は、数日で終了する。しかも塗装作業中の壁面から遠い場所、例えば北壁面を作業中の場合、南壁面等にある各部屋では、養生シートが無くても作業には支障がない場合があった。しかしながら、そのような状態であっても、設置した養生シートを取り外し作業、取り付け作業に作業者人数と作業時間が係ることがあって、そのまま養生シートを取り付けたままの状態で作業が行われていた。そのため、養生シートが必要のない家庭の窓の外も養生シートによって覆われたままであり、居住者には無駄な閉塞感が数ヶ月というような長期間続く問題点があった。
【０００６】
また、作業がない休日の場合に養生シートを取り外し、また取り付ける作業の場合や、台風や低気圧の接近による等の原因により養生シートを一時的に撤去する場合は、結束用ロープを一つ一つ解く作業によって行われるため非常に長い時間が掛かり、かつ再度養生シートを同様の作業で取り付ける作業があり、作業時間が長く掛かる課題があった。
【課題を解決するための手段】
【０００７】
上記の課題を解決するために、レール長手方向にわたって設けられるスライド用長溝を有するスライド用レールと、スライド用レールのスライド用長溝に移動可能に係合するランナーと、ランナーに上下両端辺部分を連結するとともにシート折り畳み開放可能なスライド養生シートとを有し、スライド養生シートを、その上下辺部分に設けたランナー連結部によって連結されるランナーを介して上下のスライド用レールに取り付けて構成されるスライド養生シート層を、上下多重層に設け、各層のスライド養生シート毎に開閉可能であることを特徴とするスライド開閉式養生シートを提案する。
【０００８】
また、レールの上下それぞれの面に長手方向にわたって設けられるスライド用長溝を有し枠組足場、くさび式足場等の本足場の外側に水平方向に取り付けられるスライド用レールと、スライド用レールのスライド用長溝に移動可能に係合するランナーと、ランナーに上下両端辺部分を連結するとともにシート折り畳み開放可能なスライド養生シートとを有し、スライド養生シートを、その上下辺部分に設けたランナー連結部によって連結されるランナーを介して上下のスライド用レールに取り付けて構成されるスライド養生シート層を本足場の外側に上下多重層に設け、各層のスライド養生シート毎に開閉可能であることを特徴とするスライド開閉式養生シートを提案する。
【０００９】
また、スライド用レールが、横断面長方形状の直方柱体からなり、ランナーが係合し移動可能なスライド用長溝を長手方向の上下面にそれぞれ開口して形成したスライド用レールである０００７欄又は０００８欄に記載のスライド開閉式養生シートを提案する。
【００１０】
また、スライド用レールが、横断面長方形状の直方柱体からなり、ランナーが係合し移動可能なスライド用長溝を長手方向の上下面にそれぞれ開口して形成するとともに、上下面に開口する２つのスライド用長溝の間に長手方向に中間空隙部を設け、
スライド用レールの中間空隙部の両側面には複数の孔を設け、スライド用レールの両端部の孔はスライド用レール同士を長手方向に連結する連結部材の連結孔と係合可能な連結孔であり、中間部分の孔はスライド用レールを枠組足場、くさび式足場等の本足場に固定する取付部材と係合可能な取付孔である０００７欄又は０００８欄又は０００９欄に記載のスライド開閉式養生シートを記載する。
【００１１】
更に、スライド用レールが、横断面円形状の円柱体からなり、ランナーが係合し移動可能なスライド用長溝を長手方向の上下面にそれぞれ開口して形成したスライド用レールである０００７欄又は０００８欄に記載のスライド開閉式養生シートを提案する。
【００１２】
また、スライド用レールが、横断面円形状の円柱体からなり、ランナーが係合し移動可能なスライド用長溝を長手方向の上下面にそれぞれ開口して形成するとともに、連結溝を長手方向の左右横面にそれぞれ開口して形成し、連結溝はスライド用レール同士を長手方向に連結する連結部材及び枠組足場、くさび式足場等の本足場に取り付ける取付部材と係合可能としたスライド用レールである０００７欄又は０００８欄又は００１１欄に記載のスライド開閉式養生シートを提案する。
【発明の効果】
【００１３】
この発明によれば、スライド用レールによって折り畳むことのできるシートの作用により、従来の団地等のリニューアル工事において、塗装剤などが飛散しないように設けられる養生シートが、非常に容易かつ短時間に開閉可能になった。そのため塗装作業場所から離れた壁面や、方向に異なる壁面を覆う養生シートを少ない人数で、かつ短時間に容易に開閉作業が行われる。
【００１４】
そのため、従来の集合住宅のリニューアル工事等において、養生シートが必要とされる作業の場所だけ閉鎖して塗装剤の飛散などを防止することができ、それによって養生シートで窓などのある壁面を覆う期間を最小期間にすることができる。
【００１５】
また、作業の無い日曜日等の休日では、全ての養生シートを短時間かつ容易に開放することができ、また作業を行うときに短時間かつ容易に閉鎖して作業状態に入ることが可能になった。
【００１６】
更に、台風等の強い低気圧が急に接近し養生シートを設置したままでは危険な場合であっても、養生シートを一時的に撤去する作業が、非常に短時間かつ容易に開放作業ができ、養生シートや本足場が強風によって倒壊することを防ぐことができる。
【発明を実施するための最良の形態】
【００１７】
この発明の実施形態であるスライド開閉式養生シートについて、スライド用レールが第１実施形態であるスライド開閉式養生シートが中高層建造物の周囲に仮設される枠組足場の外側に設けられた状態の一部正面を示す図１、同じくスライド開閉式養生シートが中高層建造物の周囲に仮設される枠組足場の外側に設けられた状態の一部側面を示す図２、第１実施形態のスライド用レールの横断面図である図３、同じく図３のスライド用レールに車輪ランナーを付設した状態を示す横断面図である図４、同じく図３のスライド用レールにスライドランナーを付設した状態を示す横断面図である図５、同じく固定部材によって図３のスライド用レールを枠組足場のクランプに固定する取付部材を設けた状態を示す横断面図である図６、同じく一層の連続したスライド用レールの両端部にランナー落下防止部材を付設した状態を示す横断面図である図７、同じく２つのスライド用レールを連結する連結部材のジョイントプレートを示す正面図である図８（ａ）、同じく連結部材のジョイントプレートを使って２つのスライド用レールを連結した状態の部分正面図である図８（ｂ）、図８（ｂ）のＡＡ線断面図である図９、スライドランナーの正面図である図１０、同じくスライドランナーの側面図である図１１に基づいて説明する。
【００１８】
また、スライド用レールが第２実施形態であるスライド開閉式養生シートが中高層建造物の周囲に仮設される枠組足場の外側に設けられた状態の一部正面を示す図１２、同じくスライド開閉式養生シートが中高層建造物の周囲に仮設される枠組足場の外側に設けられた状態の一部側面を示す図１３、車輪ランナーの正面図である図１４、車輪ランナーの側面図である図１５、第２実施形態のスライド用レールの横断面図である図１６、図１６のスライド用レールに車輪ランナーを付設した状態を示す横断面図である図１７、図１６のスライド用レールに取付部材である四角頭部ボルトを付設した状態を示す横断面図である図１８、取付部材である四角頭部ボルトの斜視図である図１９、同じく取付部材である四角頭部ボルトを中間部材を介して単クランプに取り付けた状態を示す説明図である図２０、図１６のスライド用レールを２つ連結部材によって長手方向へ連結した状態を示す横断面図である図２１、同じく図１６のスライド用レール２つを連結部材によって長手方向へ連結しようとする状態を示す部分正面図である図２２、図２１及び図２２に使用される連結部材の斜視図である図２３、車輪ランナーにシートを取り付けた状態でのスライド用レールの横断面を示す図２４に基づいて説明する。図２５は、スライド用レールの第３実施形態を示す。
【００１９】
この発明の実施形態であるスライド開閉式養生シートは、レールの上下それぞれの面に長手方向にわたって設けられるスライド用長溝１０を有し、枠組足場Ｗの工事対象の住宅とは逆の外側に水平方向に取り付けられるスライド用レール１と、スライド用レール１のスライド用長溝１０に移動可能に係合するランナー２と、ランナー２に上下両端辺を結合し折り畳み可能なスライド養生シート３とを有し、スライド養生シート３の上下辺のそれぞれをランナー２を介してスライド用レール１に取り付けてなるスライド開閉式シート層を枠組足場Ｗの外側に上下多重層に設け、各層のスライド養生シート３毎にスライドして開閉可能である（図１、図２、図１２、図１３参照）。
【００２０】
枠組足場Ｗは、リニューアル工事等を施工するマンション、団地等の中高層建造物Ｈの周囲に設けられ、その建造物の高さに合わせて数段に組み上げられる。図示されるこの発明の実施形態ではスライド開閉式養生シートは、住宅の外側に構築される枠組足場Ｗ（本足場）に設けられるが、同様に構築されるくさび式足場（本足場）においても同様である。
【００２１】
スライド用レール１（１ａ、１ｂ、１ｃ）は、角柱体、円柱体等の棒状体の上下それぞれの面に長手方向にわたって設けられるスライド用長溝１０を有する構成であればよく、枠組足場Ｗの水平部材に複数のクランプ及び／又は取付ボルト等からなる取付部材４により水平方向に上下複数設けられる。枠組足場Ｗの最上層及び最下層に使用するスライド用レール１は、それぞれ下面又は上面のスライド用長溝１０のみを使用する。第１実施形態のスライドレール１ａ及び第３実施形態のスライドレール１ｃは角柱体であり、第２実施形態のスライドレール１ｂは円柱体である。
【００２２】
スライド用レール１の長さは、数種類のスパンがあり、工事現場の寸法に合わせて適宜水平方向に連結部材５によって連結して１層の長さを調節する。
【００２３】
ランナー２は、車輪ランナー２ａ及びスライドランナー２ｂの２種類のランナーがある。車輪ランナー２ａは、図１４及び図１５に示されるようにランナー本体２０と、ランナー本体２０に取り付けられスライド用レール１のスライド用長溝１０に係合し走行車輪２１と、スライド養生シート３のランナー連結部３０と連結する連結輪２２とを有する。走行車輪２１の素材は、走行時に音がなるべく発生しないゴム等の柔軟性のある素材からなる。
【００２４】
スライドランナー２ｂは、図１０及び図１１に示すようにスライド用レール１のスライド用長溝１０に係合しスライドする円板面を有するスライド部２３と、スライド養生シート３のランナー連結部３０と連結する連結輪２４と、スライド部２３と連結輪２４とを繋ぐ繋ぎ部２５とからなり、硬質合成樹脂材によって一体に形成されている。
【００２５】
この発明の好ましい実施形態であるスライド開閉式養生シートでは、１層を連結されて形成されるスライドレール１に備えられるランナー２は、両端上下の２箇所のみを車輪ランナー２ａとし、中間の全てをスライドランナー２ｂとして、開閉の作動の先頭となるランナー２を車輪ランナー２ａとして初期動を良好にするとともに、移動のときの騒音が小さいスライドランナー２ｂを中間に多く設けている。他の実施形態としてランナー２（２ａ、２ｂ）の組み合わせは、適宜変更してもよい。
【００２６】
ランナー２（２ａ、２ｂ）は、スライド用レール１の上下のスライド用長溝１０、１０に両端部から各々適宜数挿入してスライド用レール１に移動可能に設けられる。適宜数ランナー２が、１層の連結されたスライド用レール１のスライド用長溝１０に設けられた後、１層の連結されたスライド用レール１の両端部には図７に示すような端部ランナー落下防止用部材６を設けている。この実施形態では端部ランナー落下防止用部材６は、ボルト６０及びナット６１からなり、スライド用レール１の上方のスライド開口部１１から下方のスライド開口部１１までボルト６０を貫通させ下方からナット６１を螺合させる。スライド用レール１の両端部の中間空隙部１５の上下の面にはボルト孔６２、６２を設けている。
【００２７】
スライド養生シート３は、約９ｍ（５間）×約５．４ｍ（３間）程度の長方形のメッシュシートからなり、２００ｍｍ程度の間隔を置いて設ける縦方向の折線部３０を設け、上辺及び下辺のそれぞれの辺近傍に多数のランナー連結部３１を設けている。この実施形態ではランナー連結部３１は、連結用ロープ３１からなる。スライド養生シート３は、上下の辺近傍に設けられている連結用ロープ３１によってランナー２の連結輪２２に結束される。このときスライド養生シート３の下辺においては連結用ロープ３１より下方にある下辺部分３ａが、スライド用レール１の枠組足場Ｗ側に垂らされてスライド用レール１の枠組足場Ｗ側半面を覆う（図２４参照）。このスライド養生シート３の下辺部分３によってスライド用レール１の作業側である枠組足場Ｗ面を覆うことができるためスライド用長溝１０や連結溝１３などに塗装剤やゴミなどが入ることを防ぐ作用効果がある。
【００２８】
スライド養生シート３は、上下の多数の連結用ロープ３１によってスライド用レール１に走行移動可能に係合されている多数のランナー２（２ａ、２ｂ）に連結され、上下のスライド用レール１に取り付けられて１つの階層を構成している。図示しないがスライド養生シート３の左右の端辺は、結束用ロープ等を有しており閉鎖時には左右の枠組足場Ｗの垂直杆等に縛る等によって固定する。この発明のスライド開閉式養生シートは、この階層を上下多重層に構成しており、各階層のスライド養生シート３毎にスライドすることができ、スライド養生シート３を開放する場合は、折り線部３０があるので折り畳みやすく開放作業が容易である。
【００２９】
スライド用レール１が第１実施形態であるスライド開閉式養生シートについて図１乃至図１１に基づいて説明する。第１実施形態であるスライド用レール１ａは、図３乃至図９に示されるように横断面が略長方形状の中空の直方柱体からなり、スライド開口部１１ａ、１１ａを有する内部空間からなりランナー２ａ、２ｂが係合し移動可能なスライド用長溝１０ａ、１０ａを長手方向の上下面にそれぞれ開口して形成するとともに、上下の２つのスライド用長溝１０ａ、１０ａの間に長手方向の空隙部である中間空隙部１５を設けている。
【００３０】
スライド用レール１ａの横断面は、略長方形状であるが上下のスライド用長溝１０の幅が中間空隙部１５の幅よりやや広く、中間空隙部１５の外側面が、上下のスライド用長溝１０ａ、１０ａの外側面から１ｍｍ程度凹んだ外形となる。１つの実施例としてスライド用レール１ａの長方形の大きさを示すと、全高７１ｍｍ、中間空隙部１５の外側面の高さ２２．３ｍｍ、上下のスライド用長溝１０の幅３３．６ｍｍ、中間空隙部１５の幅３１．６ｍｍであり、スライド開口部１１ａの幅は９．５ｍｍである。
【００３１】
スライド用レール１ａの中間空隙部１５には、ほぼ等間隔に複数のボルト孔１６を長手方向に設ける。ボルト孔１６の数はスライド用レール１ａの長さによって異なるが６孔〜８孔程度で、両側端部に設けられるボルト孔１６は連結部材５ａと連結するためのボルト孔であり、中間のボルト孔１６は取付部材４ａと連結するためのボルト孔である。
【００３２】
第１実施形態の取付部材４ａは、枠組足場Ｗにスライド用レール１ａを取り付ける部材であり、この実施形態では図６に示すように単クランプ４０からなる。単クランプ４０は、本体４０ａに固定されて突出するボルト部４０ｂと、ボルト部４０ｂに螺合するナット４０ｃと、本体４０ａに回動軸４０ｄを中心に開閉可能なクランプ部４０ｅと、クランプ部４０ｅと本体４０ａとを締め付ける締付ボルト４０ｆとを有する。
【００３３】
第１実施形態の取付部材４ａである単クランプ４０によってスライド用レール１ａを枠組足場Ｗに取り付ける場合は、ボルト部４０ｂをスライド用レール１ａの適宜ボルト孔１６に水平に挿入して枠組足場外側方向からナット４０ｃを挿入して締め付けて固定する。次に単クランプ４０のクランプ部４０ｅを回動軸４０ｄを中心に開放して枠組足場Ｗの水平杆Ｗ１にクランプさせ閉鎖後に締付ボルト４０ｆによって締め付ける。この作業によってスライド用レール１ａは、枠組足場Ｗの水平杆Ｗ１又は垂直杆に取り付けられる。図示しないが別の実施形態の取付部材４ａは、一般的に市販されているクランプを使用してスライド用レール１ａを枠組足場Ｗの外側に水平に固定して取り付けてもよい。
【００３４】
第１実施形態の連結部材５ａは、幅が２２ｍｍ程度、長さが１９０ｍｍ程度、厚さ１ｍｍ程度の長方形のジョイントプレート５０と連結ボルト５１からなり、スライド用レール１ａの中間空隙部１５の高さと同じかやや狭い形状である。ジョイントプレート５０は、図８（ａ）に示すように複数の連結孔又は／及び取付孔であるボルト孔５２を有しており、それぞれ隣接するスライド用レール１ａの端部のボルト孔１６と合わせ互いに連結ボルト５１を挿入しボルト部５１ａにナット５１ｂを締め付け連結される。連結部材５ａは、スライド用レール１ａを連結する場合は、２枚の連結部材５ａをスライド用レール１ａの両側に接して連結する。
【００３５】
次に、スライド用レール１が第２実施形態であるスライド開閉式養生シートについて図１２乃至図２４に基づいて説明する。第２実施形態のスライド用レール１ｂは、図１６に示すように横断面形状が直径５０ｍｍ程度の横断面円形状の円柱状体、又は円管体からなる。その円柱状体の上下面長手方向にわたって周面にそれぞれ開口しているスライド開口部１１ｂ、１１ｂを有する内部空間からなるスライド用長溝１０ｂ、１０ｂを設ける。それぞれのスライド用長溝１０ｂ、１０ｂは、それぞれのスライド開口部１１ｂ、１１ｂの開口幅より広く車輪ランナー２ａの走行車輪２１又はスライドランナー２ｂのスライド部２３が走行可能な奥行きを有する内部空間を長手方向にわたって有しており、スライド開口部１１ｂ、１１ｂの左右裏面を車輪ランナー２ａの走行車輪２１が係合し走行移動可能な走行面１２、１２として形成する（図１７参照）。
【００３６】
第２実施形態のスライド用レール１ｂは、円柱体の上下面長手方向にわたってそれぞれ開口しているスライド開口部１１ｂ、１１ｂの周面で９０度角異なる両方向である左右横面にレール長手方向にわたって開口する連結開口部１４、１４を有する連結溝１３、１３を設ける。それぞれの連結溝１３、１３は、それぞれの連結開口部１４、１４の開口幅より幅広く連結溝１３、１３と摺動可能な取付部材４ｂの四角頭部ボルト４１の頭部４１ａと形状が対応する空間形状であり、図１６乃至図１８に示すように横断面Ｔ字形となる。
【００３７】
第２実施形態の取付部材４ｂは、枠組足場Ｗにスライド用レール１ｂを取り付ける部材であり、第２実施形態の第１実施例を図１８に示す。第２実施形態の第１実施例の取付部材４ｂは、四角頭部ボルト４１と単クランプ４２とからなる。四角頭部ボルト４１は、図１９に示すようにほぼ四角形（正方形）の頭部４１ａとボルト部４１ｂとからなる。四角頭部ボルト４１は、ボルト部４１ｂをナット４１ｃによって単クランプ４２に取り付け、単クランプ４２によって枠組足場Ｗの水平杆Ｗ１に取り付けられる。単クランプ４２は、雌ねじ孔（図示せず）を設けた本体４２ａと、本体４２ａに回動軸４２ｂを中心に開閉可能なクランプ部４２ｃと、クランプ部４２ｃと本体４２ａとを締め付ける締付ボルト４２ｄとを有する。
【００３８】
第２実施形態の第２実施例である取付部材４ｃを図２０に示す。第２実施例の取付部材４ｃは、四角頭部ボルト４１と、第１実施形態の取付部材４ａと同じ単クランプ４０と、この２つの部材を繋ぐ繋ぎ部材４３からなる。繋ぎ部材４３は、図２０に示されるように角筒体の左右側面に水平方向に開口した孔を有し、その孔に四角頭部ボルト４１のボルト部４１ｂと、単クランプ４０のボルト部４０ｂとを挿入してそれぞれナット４１ｃと４０ｃを螺合させ繋ぎ部材４３を介して連結させ、これによってスライド用レール１ｂを枠組足場Ｗに取り付ける。更に図示しないが別の実施形態の取付部材４は、一般的に市販されているクランプを使用してスライド用レール１ｂを枠組足場Ｗの外側に水平に固定して取り付けてもよい。
【００３９】
第２実施形態の連結部材５ｂは、図２１乃至図２３に示すようにボルト付きジョイントプレート５３と、ナット５４及びワッシャー５５からなる。ボルト付きジョイントプレート５３は、長方形の板状体５３ａの長手方向に間隔をあけて２つ以上の取付ボルト５３ｂを突設している。スライド用レール１ｂを長手方向に連結する場合は、図２２に示すようにジョイントプレート５３の取付孔５３ａに四角頭部ボルト５２のボルトを挿入した後、四角頭部ボルト５２の頭部をスライド用レール１ｂの連結溝１３に長手方向端部から入れワッシャー５５、ナット５４を嵌合して取り付ける。
【００４０】
スライド用レール１の第３実施形態であるスライド用レール１ｃを図２５に示す。スライド用レール１ｃは、２つの角柱体を上下開口溝の無い背面同士を結合させて上下それぞれの面に長手方向にわたって設けられスライド開口部１１ｃ、１１ｃを有する内部空間からなるスライド用長溝１０ｃ、１０ｃを設けている。スライド用レール１ｃは、枠組足場Ｗの水平部材に複数のクランプ又は取付ボルト等からなる取付部材４により水平方向に上下複数設けられる。枠組足場Ｗの最上層及び最下層に使用するスライド用レール１ｃは、それぞれ下面又は上面のスライド用長溝１０ｃのみを有する１つの角柱体で構成することもできる。
【００４１】
この発明のスライド開閉式養生シートは、上記のように構成されているため、非常に容易にスライド養生シート３を各階層毎に開閉できる。そのため養生シートの不要な場所においては常に開放しておくことができるようになった。
【産業上の利用可能性】
【００４２】
この発明は、マンション、団地等の中高層の集合住宅の壁面のリニューアル工事等に利用される。
【図面の簡単な説明】
【００４３】
【図１】この発明の第１実施形態であるスライド用レールを使用したスライド開閉式養生シートについて、スライド開閉式養生シートが中高層建造物の周囲に仮設される枠組足場（本足場）の外側に設けられた状態の一部正面図
【図２】同じく第１実施形態であるスライド用レールを使用したスライド開閉式養生シートが中高層建造物の周囲に仮設される枠組足場（本足場）の外側に設けられた状態の一部側面図
【図３】この発明の第１実施形態のスライド用レールの横断面図
【図４】図３のスライド用レールに車輪ランナーを付設した状態を示す横断面図
【図５】図３のスライド用レールにスライドランナーを付設した状態を示す横断面図
【図６】図３のスライド用レールに取付部材を付設した状態を示す横断面図
【図７】一層の連続したスライド用レールの両端部にランナー落下防止部材を付設した状態を示す横断面図
【図８】（ａ）同じく２つのスライド用レールを連結する連結部材のジョイントプレートを示す正面図、（ｂ）同じく連結部材のジョイントプレートを使って２つのスライド用レールを連結した状態の部分正面図
【図９】図８（ｂ）のＡＡ線断面図
【図１０】スライドランナーの正面図
【図１１】スライドランナーの側面図
【図１２】この発明の第２実施形態であるスライド用レールを使用したスライド開閉式養生シートについて、スライド開閉式養生シートが中高層建造物の周囲に仮設される枠組足場（本足場）の外側に設けられた状態の一部正面図
【図１３】同じく第２実施形態であるスライド用レールを使用したスライド開閉式養生シートが中高層建造物の周囲に仮設される枠組足場（本足場）の外側に設けられた状態の一部側面図
【図１４】この発明の実施形態に使用される車輪ランナーの正面図
【図１５】同じく車輪ランナーの側面図
【図１６】この発明の第２実施形態のスライド用レールの横断面図
【図１７】図１６のスライド用レールにランナーを付設した状態を示す横断面図
【図１８】図１６のスライド用レールに第２実施形態の第１実施例の取付部材を付設した状態を示す横断面図
【図１９】この発明の第２実施形態の取付部材の四角頭部ボルトの斜視図
【図２０】図１６のスライド用レールに第２実施形態の第２実施例の取付部材を付設した状態を示す横断面図であり、四角頭部ボルトと単クランプとの間に繋ぎ部材を介して取り付けた状態を示す説明図
【図２１】図１６のスライド用レールを２つ連結部材によって長手方向へ連結した状態を示す横断面図
【図２２】同じく図１６のスライド用レール２つを連結部材によって長手方向へ連結しようとする状態を示す部分正面図
【図２３】図２１及び図２２に使用される連結部材の斜視図
【図２４】ランナーにスライド養生シートを取り付けた状態でのスライド用レールの横断説明面
【図２５】この発明のスライド用レールの第３実施形態を示す横断面図
【符号の説明】
【００４４】
１  スライド用レール
１ａ  スライド用レール（第１実施形態）
１０ａ  スライド用長溝
１１ａ  スライド開口部
１５  中間空隙部
１６  ボルト孔
２  ランナー
２ａ  車輪ランナー
２０  ランナー本体
２１  走行車輪
２２  連結輪
２ｂ  スライドランナー
２３  スライド部
２４  連結輪
２５  繋ぎ部
３  スライド養生シート
３０  折れ線部
３１  ランナー連結部（連結用ロープ）
４ａ  取付部材（第１実施形態）
４０  単クランプ
４０ａ  本体
４０ｂ  ボルト部
４０ｃ  ナット
４０ｄ  回動軸
４０ｅ  クランプ部
４０ｆ  締付ボルト  
５ａ  連結部材
５０  ジョイントプレート
５１  連結ボルト
５２  ボルト孔
１ｂ  スライド用レール（第２実施形態）
１０ｂ  スライド用長溝
１１ｂ  スライド開口部
１２  走行面
１３  連結開口部
１４  連結溝
４ｂ  取付部材（第２実施形態第１実施例）
４１  四角頭部ボルト
４１ａ  頭部
４１ｂ  ボルト部
４１ｃ  ナット
４２  単クランプ
４２ａ  本体
４２ｂ  回動軸
４２ｃ  クランプ部
４２ｄ  締付ボルト
４ｃ  取付部材（第２実施形態第２実施例）
４３  繋ぎ部材  
５ｂ  連結部材
５３  ボルト付きジョイントプレート
５３ａ  板状体
５３ｂ  ボルト
５４  ナット
５５  ワッシャー
１ｃ  スライド用レール（第３実施形態）
１０ｃ  スライド用長溝
１１ｃ  スライド開口部
Ｗ  枠組足場（又はくさび式足場等の本足場）
Ｈ  集合住宅等の建造物
【図１】
2010090617.tif 000003
【図２】
2010090617.tif 000004
【図３】
2010090617.tif 000005
【図４】
2010090617.tif 000006
【図５】
2010090617.tif 000007
【図６】
2010090617.tif 000008
【図７】
2010090617.tif 000009
【図８】
2010090617.tif 000010
【図９】
2010090617.tif 000011
【図１０】
2010090617.tif 000012
【図１１】
2010090617.tif 000013
【図１２】
2010090617.tif 000014
【図１３】
2010090617.tif 000015
【図１４】
2010090617.tif 000016
【図１５】
2010090617.tif 000017
【図１６】
2010090617.tif 000018
【図１７】
2010090617.tif 000019
【図１８】
2010090617.tif 000020
【図１９】
2010090617.tif 000021
【図２０】
2010090617.tif 000022
【図２１】
2010090617.tif 000023
【図２２】
2010090617.tif 000024
【図２３】
2010090617.tif 000025
【図２４】
2010090617.tif 000026
【図２５】
2010090617.tif 000027